(57)【要約】【課題】  構造物に陽極材を設置するに際し、構造物に対して陽極材を離間した位置に設置することができ、構造物中に埋設された金属材料の一部が構造物の表面に露出した状態であっても、陽極材と金属材料との接触を防止することができる陽極材保持具を提供することを課題とする。【解決手段】  金属材料が埋設された構造物に対して電気防食用の陽極材を設置するに際し、陽極材を構造物から離間した位置に保持する陽極材保持具であって、陽極材を部分的に収容する収容部を一つまたは間隔を空けて複数備え、陽極材における収容部に収容される領域の少なくとも一部が収容部から離間した位置に保持されるように構成されることを特徴とする。【選択図】図１
2014167143.tif 000002
【特許請求の範囲】
【請求項１】
金属材料が埋設された構造物に対して電気防食用の陽極材を設置するに際し、陽極材を構造物から離間した状態に保持する陽極材保持具であって、
陽極材を部分的に収容する収容部を一つまたは間隔を空けて複数備え、陽極材における収容部に収容される領域の少なくとも一部が収容部から離間した状態に保持されるように構成されることを特徴とする陽極材保持具。
【請求項２】
陽極材における収容部に収容される領域を収容部から離間した状態に保持する陽極材保持部を更に備えることを特徴とする請求項１に記載の陽極材保持具。
【請求項３】
陽極材保持部は、陽極材における収容部に収容される領域を挟み込み可能に構成されることを特徴とする請求項２に記載の陽極材保持具。
【請求項４】
陽極材保持部は、陽極材における収容部に収容される領域を挟み込む一対の陽極材挟込部を備えることを特徴とする請求項２または３に記載の陽極材保持具。
【発明の詳細な説明】
【技術分野】
【０００１】
本発明は、金属材料が埋設された構造物に電気防食用の陽極材を設置する際に用いる陽極材保持具に関する。
【背景技術】
【０００２】
コンクリート等からなる構造物中に埋設されている鋼材は、表面に不動態皮膜が形成されることで、本来、腐食から保護されている。ところが、沿岸地域や凍結防止剤が頻繁に使用される地域などのように、塩素成分が多量に存在する環境下では、塩素成分が構造物中に侵入して鋼材表面の不動態皮膜を部分的に破壊する場合がある。そして、不動態皮膜が破壊された部分では、鉄イオンが溶出して鋼材が腐食（酸化）する。このため、鋼材自体の強度が低下すると共に、腐食部分の体積の膨張によって構造物に亀裂を生じさせる虞がある。
【０００３】
上記のように、鋼材に部分的な腐食が生じることによって、鋼材には、腐食した領域（アノード部）と腐食していない領域（カソード部）とが形成される。このようなアノード部とカソード部との間には電位差が生じており、アノード部からカソード部へ電子が流れることで腐食電流が発生し、アノード部からの鉄イオンの溶出（腐食）を更に進行させる要因となる。
【０００４】
このような腐食の進行を防止する方法としては、チタンなどの素材を用いて形成された陽極材から鋼材に対して電流（防食電流）を供給する電気防食方法が知られている。該電気防食方法は、鋼材に対して防食電流を供給することで、アノード部とカソード部との間に生じる電位差を解消し、腐食電流が発生するのを防止する方法である。
【０００５】
上記のような電気防食を行う際には、構造物に対して陽極材を設置する必要がある。陽極材を設置する方法としては、構造物に対して陽極材を固定する固定具を用いる方法が提案されている。斯かる固定具としては、構造物に形成した孔に対して嵌入可能な柱状部と、該柱状部から延出するフランジ部とを備えたものが知られている（特許文献１参照）。このような構成の固定具は、構造物に形成した孔に柱状部を嵌入すると共にフランジ部と構造物との間に陽極材を挟み込むことで、構造物に陽極材を固定することが可能となっている。
【先行技術文献】
【特許文献】
【０００６】
【特許文献１】特開２００２−２０８８７号公報
【発明の概要】
【発明が解決しようとする課題】
【０００７】
しかしながら、上記のような固定具を用いる場合、陽極材が固定具によって構造物に押し付けられるため、陽極材と構造物とが接触した状態となる。このため、構造物に埋設された鋼材が構造物の表面に露出している場合には、陽極材と鋼材とが接触して短絡する虞ある。
【０００８】
そこで、本発明は、構造物に陽極材を設置するに際し、構造物に対して陽極材を離間した状態で設置することができ、構造物中に埋設された金属材料の一部が構造物の表面に露出した状態であっても、陽極材と金属材料との接触を防止することができる陽極材保持具を提供することを課題とする。
【課題を解決するための手段】
【０００９】
本発明に係る陽極材保持具は、金属材料が埋設された構造物に対して電気防食用の陽極材を設置するに際し、陽極材を構造物から離間した状態に保持する陽極材保持具であって、陽極材を部分的に収容する収容部を一つまたは間隔を空けて複数備え、陽極材における収容部に収容される領域の少なくとも一部が収容部から離間した状態に保持されるように構成されることを特徴とする。
【００１０】
斯かる構成によれば、陽極材における収容部に収容される領域（以下、被収容領域とも記す）の少なくとも一部が収容部から離間した状態に保持されることで、陽極材の被収容領域と収容部との間には空間が形成されることになる。このため、収容部に陽極材を収容した状態で陽極材を構造物に設置した際に、陽極材の被収容領域のうち収容部から離間した領域（以下、離間領域とも記す）は、構造物からも離間した状態に保持される。
【００１１】
これにより、陽極材保持具が収容部を一つ備える場合には、間隔を空けて配置される複数の陽極材保持具の各収容部に陽極材の複数箇所を収容することで、陽極材における各収容部間の領域（被収容領域以外の領域）が収容部間に橋渡しされた状態となる。または、陽極材保持具が収容部を間隔を空けて複数備える場合には、各収容部に陽極材の複数箇所を収容することで、陽極材における各収容部間の領域（被収容領域以外の領域）が収容部間に橋渡しされた状態となる。これにより、陽極材の被収容領域以外の領域は、構造物から離間した状態に保持される。
【００１２】
以上のように、陽極材保持具を用いることで陽極材の略全体を構造物から離間した状態に保持することができる。これにより、構造物の表面に金属材料が露出している場合であっても、陽極材と金属材料とが意図せずに接触してしまうのを防止することができ、短絡が生じるのを防止することができる。
【００１３】
陽極材における収容部に収容される領域を収容部から離間した状態に保持する陽極材保持部を更に備えることが好ましい。
【００１４】
斯かる構成によれば、陽極材保持部を備えることによって、陽極材の被収容領域を収容部から離間した状態に確実に保持することができる。これにより、上述したように、陽極材の被収容領域以外の領域も構造物から離間した状態に確実に保持することができる。
【００１５】
陽極材保持部は、陽極材における収容部に収容される領域を挟み込み可能に構成されることが好ましい。また、陽極材保持部は、陽極材における収容部に収容される領域を挟み込む一対の陽極材挟込部を備えることが好ましい。
【００１６】
斯かる構成によれば、陽極材保持部が陽極材の被収容領域を挟み込むことで、陽極材の被収容領域が収容部から離間した状態で固定される。このため、陽極材の被収容領域が構造物から離間した状態を安定して維持することができる。
【発明の効果】
【００１７】
以上のように、本発明によれば、構造物に陽極材を設置するに際し、構造物に対して陽極材を離間した状態に設置することができ、構造物中に埋設された金属材料の一部が構造物の表面に露出した状態であっても、陽極材と金属材料との接触を防止することができる。
【図面の簡単な説明】
【００１８】
【図１】第一実施形態に係る陽極材保持具を示した斜視図。
【図２】（ａ）は、同実施形態に係る陽極材保持具を陽極材に取り付けた状態を示した斜視図、（ｂ）は、（ａ）のＸ−Ｘ断面であって、陽極材保持具における陽極材が取り付けられた状態を示した正面図。
【図３】（ａ）は、同実施形態に係る陽極材保持具を取り付けた陽極材の設置対象となる構造物を示した斜視図、（ｂ）は、構造物の断面図であって、同実施形態に係る陽極材保持具を取り付けた陽極材が収容孔に収容された状態を示した図。
【図４】（ａ）は、構造物の断面図であって、構造物の収容孔に埋込材が流し込まれた状態を示した図、（ｂ）は、構造物の断面図であって、構造物の収容孔に埋込材が満たされた状態を示した図。
【図５】（ａ）は、第二実施形態に係る陽極材保持具の正面図であって、陽極材を保持した状態を示した図、（ｂ）は、第三実施形態に係る陽極材保持具の正面図であって、陽極材を保持した状態を示した図
【図６】（ａ）は、更に他の実施形態に係る陽極材保持具の正面図であって、陽極材を保持した状態を示した図、（ｂ）は、更に他の実施形態に係る陽極材保持具の正面図であって、陽極材を保持した状態を示した図、（ｃ）は、更に他の実施形態に係る陽極材保持具の正面図であって、陽極材を保持した状態を示した図、（ｄ）は、更に他の実施形態に係る陽極材保持具の正面図であって、陽極材を保持した状態を示した図。
【図７】（ａ）は、更に他の実施形態に係る陽極材保持具の正面図であって、陽極材を保持した状態を示した図、（ｂ）は、更に他の実施形態に係る陽極材保持具の斜視図、（ｃ）は、更に他の実施形態に係る陽極材保持具の斜視図。
【発明を実施するための形態】
【００１９】
＜第一実施形態＞
本発明の第一実施形態について、図１〜４を用いて説明する。
【００２０】
本実施形態に係る陽極材保持具１は、金属材料が埋設された構造物（例えば、コンクリート構造物）に対して、電気防食用の陽極材を設置する際に用いられるものである。また、陽極材保持具１は、構造物に陽極材を設置するに際し、陽極材を構造物から離間した状態に保持するものである。陽極材保持具１が保持する陽極材としては、特に限定されるものではなく、本実施形態では、一方向が長手となる帯状のものが用いられる。
【００２１】
陽極材保持具１は、図１に示すように、陽極材を収容する収容部２と、該収容部２に収容された陽極材を保持する陽極材保持部３とを備える。収容部２は、陽極材を部分的に収容可能に構成される。具体的には、収容部２は、陽極材における一方向に直交する方向（幅方向）の外周の少なくとも一部（本実施形態では、その全体）を収容可能に構成される。また、収容部２は、陽極材における一方向の両端間の領域を部分的に収容可能に構成される。つまり、収容部２に収容された陽極材は、自身の一方向に沿って収容部２から延出した状態となる。
【００２２】
収容部２は、環状の形状を有し、内側に陽極材を収容可能に構成される。本実施形態では、収容部２は、円環状の形状を有する。収容部２の軸方向に沿った長さ（厚み）としては、特に限定されるものではないが、陽極材の一方向の両端間の長さよりも短くなるように形成される。収容部２の厚みとしては、例えば、８ｍｍ程度であることが好ましい。
【００２３】
また、収容部２は、対向する一対の収容部端部２ａ，２ａを備える。つまり、収容部２は、対向する一対の収容部端部２ａ，２ａのうち、一方の収容部端部２ａから他方の収容部端部２ａに向かって環状となるように形成される。また、収容部２は、一対の収容部端部２ａ，２ａが接離可能となるように構成される。具体的には、収容部２は、一対の収容部端部２ａ，２ａが形成された位置に対して、収容部２の中心部を挟んで略対向する位置を支点として、一対の収容部端部２ａ，２ａが接離可能となるように構成される。また、本実施形態では、収容部２が弾性変形可能な素材（より好ましく、更に絶縁性を有する素材）を用いて形成されることで、一対の収容部端部２ａ，２ａが接離可能に構成される。これにより、収容部２における一対の収容部端部２ａ，２ａが形成された位置に、陽極材を収容部の内側に導く収容口２ｂが形成される。
【００２４】
一対の収容部端部２ａ，２ａ間には、間隔が形成される。斯かる間隔としては、特に限定されるものではないが、陽極材の厚みよりも僅かに狭いことが好ましい。これにより、収容部２の内側と外側とが連通した状態となる。
【００２５】
陽極材保持部３は、陽極材における収容部２に収容される領域（以下、被収容領域とも記す）の少なくとも一部を収容部２から離間した状態に保持する。具体的には、陽極材保持部３は、環状の収容部２の内側に設けられる。本実施形態では、陽極材保持部３は、収容部２の内側を横断するように設けられる。具体的には、収容口２ｂが形成された位置から収容部２の中心部を通るように陽極材保持部３が設けられる。これにより、収容部２の内側の領域は、陽極材保持部３によって２つに分割され、収容部２の２つの内部空間Ｒ１，Ｒ１の間に陽極材保持部３が位置する。
【００２６】
陽極材保持部３は、収容部２の内側に収容部２から突出する保持部突出部３ａと、陽極材を挟み込む一対の陽極材挟込部３ｂ，３ｂとから構成される。保持部突出部３ａは、突出方向の先端部が陽極材の被収容領域に当接するように構成される。これにより、保持部突出部３ａと当接した陽極材の被収容領域が突出方向に沿って収容部２の略中央部に保持される。また、保持部突出部３ａの基端部は、収容部２と一体的に連結される。保持部突出部３ａと収容部２との連結位置としては、収容部２における収容口２ｂが形成された位置に対して、収容部２の中央部を挟んで対向する位置であることが好ましい。
【００２７】
一対の陽極材挟込部３ｂ，３ｂは、収容部２（具体的には、一対の収容部端部２ａ，２ａ）から収容部２の内側（具体的には、保持部突出部３ａ）に向かって延出（具体的には、略平行するように延出）するように形成される。陽極材挟込部３ｂの長さ（一対の収容部端部２ａ，２ａ側に位置する一端部と、延出方向に位置する他端部との間の長さ）としては、特に限定されるものではなく、陽極材の形状等に応じて適宜設定される。本実施形態では、陽極材の幅方向の長さよりも短くなるように形成される。つまり、陽極材挟込部３ｂの長さは、陽極材の幅方向の全体が一対の陽極材挟込部３ｂ，３ｂの間に納まるように設定される。
【００２８】
また、一対の陽極材挟込部３ｂ，３ｂは、間隔を空けて（具体的には、収容部の軸線に直交する方向に間隔を空けて）配置される。一対の陽極材挟込部３ｂ，３ｂの間隔としては、特に限定されるものではなく、陽極材の厚みと略同一または陽極材の厚みよりも僅かに狭くなるように形成される。
【００２９】
一対の陽極材挟込部３ｂ，３ｂは、一対の収容部端部２ａ，２ａ側に位置する各一端部が収容部２（具体的には、一対の収容部端部２ａ，２ａ）に一体的に連結され、延出方向に位置する各他端部が保持部突出部３ａに一体的に連結される。そして、一対の収容部端部２ａ，２ａと、一対の陽極材挟込部３ｂ，３ｂと、保持部突出部３ａとによって陽極材保持部３に陽極材を挿入する保持部凹部３ｄが形成される。該保持部凹部３ｄは、一対の収容部端部２ａ，２ａ間から収容部２の外側に開放するように構成される。
【００３０】
陽極材挟込部３ｂは、一端部および他端部よりも中央側の領域が肉厚に形成される。具体的には、陽極材挟込部３ｂは、一端部および他端部から中央側に向かって段階的または連続的に厚みが増加するように形成される。本実施形態では、収容部２の略中央部において陽極材挟込部３ｂの厚みが最も厚くなるように形成される。また、陽極材挟込部３ｂは、陽極材を挟み込む側の反対側に突出する挟込部突出部３ｃを備える。該挟込部突出部３ｃは、陽極材挟込部３ｂの最も肉厚となる部分（即ち、陽極材挟込部３ｂの略中央部）に形成される。挟込部突出部３ｃを備えることで、陽極材保持具１の強度を向上させることができる。
【００３１】
一対の陽極材挟込部３ｂ，３ｂは、一端部同士が接離可能（具体的には、各他端部を支点に接離可能）となるように構成される。より詳しくは、一対の陽極材挟込部３ｂ，３ｂは、各一端部に連結された一対の収容部端部２ａ，２ａが接離することで、接離可能に構成される。また、本実施形態では、陽極材挟込部３ｂが弾性変形可能な素材（より好ましく、更に絶縁性を有する素材）を用いて形成されることで、一対の陽極材挟込部３ｂ，３ｂの一端部が接離可能に構成される。
【００３２】
次に、上記のように構成された陽極材保持具１を陽極材に取り付けた状態について説明する。陽極材保持具１は、図２（ａ）に示すように、一方向が長手となる帯状の陽極材Ａに取り付けられる。具体的には、陽極材保持具１は、陽極材Ａにおける長手方向の両端間の領域に部分的に取り付けられる。本実施形態では、陽極材Ａの長手方向の両端間の領域に複数の陽極材保持具１が所定間隔（例えば、等間隔）で取り付けられる。つまり、陽極材Ａは、複数の陽極材保持具１によって複数箇所で保持されることになる。陽極材保持具１同士の間隔としては、特に限定されるものではないが、陽極材Ａにおける陽極材保持具１間の領域（被収容領域以外の領域）に弛みが生じない程度の間隔であることが好ましい。例えば、陽極材保持具１間の間隔としては、２５０ｍｍ以下とすることが好ましい。
【００３３】
このように、複数の陽極材保持具１を陽極材Ａに対して間隔を空けて取り付けることで、陽極材Ａにおける陽極材保持具１が取り付けられていない領域は、構造物との間に陽極材保持具１が存在しないため、陽極材保持具１の影響を受けることなく防食電流の供給を行うことができる。また、陽極材Ａが任意に変形可能である場合には、陽極材保持具１間の領域で陽極材Ａを変形させることができる。このため、陽極材Ａを任意の形状で構造物に設置することが可能となる。
【００３４】
陽極材保持具１を陽極材Ａに取り付ける際には、図２（ｂ）に示すように、一対の収容部端部２ａ，２ａ間から収容部２の内側に陽極材Ａを収容する。具体的には、一対の収容部端部２ａ，２ａが離間する方向に変位するように収容部２に対して力を加え、一対の収容部端部２ａ，２ａの間隔を広げる。この際、一対の陽極材挟込部３ｂ，３ｂの一端部の間隔も広がることになる。そして、一対の収容部端部２ａ，２ａの間を通して収容部２の内側に陽極材Ａを収容する。本実施形態では、陽極材Ａの幅方向の全体が収容部２の内側に収容されると共に、陽極材Ａが長手方向に沿って陽極材保持具１から延出した状態となる。これにより、陽極材Ａには、収容部２に収容される領域（以下、被収容領域とも記す）と、被収容領域以外の領域（収容部２間の領域）とが形成される。
【００３５】
そして、陽極材Ａの被収容領域は、一対の陽極材挟込部３ｂ，３ｂ間に配置される。つまり、陽極材Ａの被収容領域は、保持部凹部３ｄの内側に配置される。そして、保持部凹部３ｄの内側に配置された陽極材Ａの被収容領域は、一対の陽極材挟込部３ｂ，３ｂによって挟み込まれる。具体的には、一対の収容部端部２ａ，２ａを離間する方向に変位させた力を取り除くことで、一対の収容部端部２ａ，２ａおよび一対の陽極材挟込部３ｂ，３ｂの各一端部が接近する方向に変位することになる。これにより、一対の陽極材挟込部３ｂ，３ｂによって陽極材Ａの被収容領域が挟み込まれる。
【００３６】
また、陽極材Ａの被収容領域は、保持部突出部３ａの突出方向に沿って保持部突出部３ａに当接する。つまり、陽極材Ａの被収容領域は、保持部突出部３ａに当接した状態で、一対の陽極材挟込部３ｂ，３ｂによって挟み込まれた状態となる。これにより、陽極材Ａの被収容領域が収容部２の略中央部（即ち、収容部２から離間した状態）に保持される。以下では、陽極材保持具１が取り付けられた状態の陽極材Ａを陽極体Ａ１とも記す。
【００３７】
次に、陽極材保持具１が取り付けられた陽極材Ａ（陽極体Ａ１）を構造物に設置する方法について説明する。本実施形態では、図３（ａ）に示すように、構造物Ｂの端部に陽極体Ａ１を収容可能な収容孔Ｂ１を形成する。該収容孔Ｂ１は、直線状に形成される。また、収容孔Ｂ１は、構造物Ｂを貫通するよう形成される。本実施形態では、複数の収容孔Ｂ１が構造物Ｂに形成される。収容孔Ｂ１の断面形状としては、特に限定されるものではないが、陽極材保持具１の外周形状に対応する形成であることが好ましい。また、収容孔Ｂ１の断面形状は、陽極材保持具１の外周形状よりも大きく形成される。収容孔Ｂ１がこのように形成されることで、収容孔Ｂ１内において、陽極材保持具１の軸線を中心に、陽極材保持具１を回転させることができる。このため、陽極材保持具１が取り付けられた陽極材Ａの向きを自在に変更させることができる。本実施形態では、収容孔Ｂ１の断面形状は、円形状（直径が陽極材Ａの幅の２倍以上）に形成される。
【００３８】
陽極体Ａ１を収容孔Ｂ１に収容する際には、収容孔Ｂ１の一端側から陽極体Ａ１を挿入する。収容孔Ｂ１に収容された陽極体Ａ１は、図３（ｂ）に示すように、収容孔Ｂ１に沿って配置される。収容孔Ｂ１内では、陽極材保持具１（具体的には、収容部２の外周面）が構造物Ｂ（具体的には、収容孔Ｂ１の内面）に接触した状態となる。本実施形態では、陽極材保持具１の外周面の全体が収容孔Ｂ１の内周面に接触した状態となる。なお、陽極材保持具１の外周面が部分的に収容孔Ｂ１の内周面に接触した状態であってもよい。
【００３９】
一方、陽極材Ａは、構造物Ｂ（具体的には、収容孔Ｂ１の内面）から離間した状態に保持される。具体的には、陽極材Ａは、被収容領域が陽極材保持具１によって構造物Ｂから離間した状態となると共に、被収容領域以外の領域が陽極材保持具１（具体的には、収容部２）間に橋渡しされた状態となる。このため、陽極材Ａの全体が構造物Ｂ（具体的には、収容孔Ｂ１の内面）から離間した状態で保持される。これにより、陽極材Ａ（具体的には、被収容領域以外の領域）と構造物Ｂ（具体的には、収容孔Ｂ１の内面）との間に空間（以下、充填空間とも記す）が形成される。
【００４０】
陽極体Ａ１が収容された収容孔Ｂ１は、種々の材料（埋込材）が充填されて埋め込まれる。埋込材としては、例えば、流動性を有する水硬性材料（水とセメントとを混練したもの等）を用いることができる。斯かる埋込材を用いた場合、該埋込材を収容孔Ｂ１内に流し込むことで、収容孔Ｂ１が埋め込まれる。具体的には、図４（ａ）に示すように、収容孔Ｂ１の一端側から埋込材Ｃを収容孔Ｂ１に流し込む。この際、埋込材Ｃは、陽極材保持具１の内部空間Ｒ１，Ｒ１を通って陽極材保持具１間に形成された各充填空間にも入り込む。これにより、図４（ｂ）に示すように、収容孔Ｂ１の略全域に埋込材を充填することができ、収容孔Ｂ１内における陽極材Ａの略全域（被収容領域以外の領域）が埋込材で覆われた状態となる。このため、陽極材Ａと構造物Ｂ（具体的には、収容孔Ｂ１の内面）との間に空間が形成されて防食電流の供給が良好に行われなくなるのを防止することができる。そして、埋込材を構成する水硬性材料が硬化することで、陽極材Ａが構造物Ｂに設置された状態となる。
【００４１】
以上のように、本発明に係る固定具によれば、構造物に陽極材を設置するに際し、構造物に対して陽極材を離間した状態に設置することができ、構造物中に埋設された金属材料の一部が構造物の表面に露出した状態であっても、陽極材と金属材料との接触を防止することができる。
ができる。
【００４２】
即ち、陽極材Ａの被収容領域の少なくとも一部が収容部２から離間した状態に保持されることで、陽極材Ａの被収容領域と収容部２との間には空間が形成されることになる。このため、収容部２に陽極材Ａを収容した状態で陽極材Ａを構造物Ｂに設置した際に、陽極材Ａの被収容領域のうち収容部２から離間した領域（以下、離間領域とも記す）は、構造物Ｂからも離間した状態に保持される。
【００４３】
これにより、陽極材保持具１が収容部２を一つ備える場合には、間隔を空けて配置される複数の陽極材保持具１の各収容部２に陽極材Ａの複数箇所を収容することで、陽極材Ａにおける各収容部２間の領域（被収容領域以外の領域）が収容部２間に橋渡しされた状態となる。または、陽極材保持具１が収容部２を間隔を空けて複数備える場合には、各収容部２に陽極材Ａの複数箇所を収容することで、陽極材Ａにおける各収容部２間の領域（被収容領域以外の領域）が収容部２間に橋渡しされた状態となる。これにより、陽極材Ａの被収容領域以外の領域は、構造物Ｂから離間した状態に保持される。
【００４４】
以上のように、陽極材保持具１を用いることで陽極材Ａの略全体を構造物Ｂから離間した状態に保持することができる。これにより、構造物Ｂの表面に金属材料が露出している場合であっても、陽極材Ａと金属材料とが意図せずに接触してしまうのを防止することができ、短絡が生じるのを防止することができる。
【００４５】
また、陽極材保持部３を備えることによって、陽極材Ａの被収容領域を収容部２から離間した状態に確実に保持することができる。これにより、上述したように、陽極材Ａの被収容領域以外の領域も構造物Ｂから離間した状態に確実に保持することができる。
【００４６】
また、陽極材保持部３が陽極材Ａの被収容領域を挟み込むことで、陽極材Ａの被収容領域が収容部２から離間した状態で固定される。このため、陽極材Ａの被収容領域が構造物Ｂから離間した状態を安定して維持することができる。
【００４７】
＜第二実施形態＞
次に、本発明の第二実施形態について、図５（ａ）を参照しつつ説明する。第二実施形態に係る陽極材保持具１０は、第一実施形態に係る陽極材保持具１と比較すると、主に陽極材保持部３０の構成が異なるものである。従って、以下では、第一実施形態と異なる点を中心に説明し、同一の構成に対しては同一の符号を付すこととして重複した説明を行わないこととする。
【００４８】
陽極材保持部３０は、収容部２の内側に収容部２から延出する一対の陽極材挟込部３０ｂ，３０ｂを備える。一対の陽極材挟込部３０ｂ，３０ｂは、延出方向が対向すると共に、延出方向に位置する先端部同士が延出方向に沿って対峙するように形成される。また、一対の陽極材挟込部３０ｂ，３０ｂは、収容部２から直線状に突出するように形成される。本実施形態では、一対の陽極材挟込部３０ｂ，３０ｂは、同一直線上（収容部２の略中心部を通る直線上）に形成される。
【００４９】
陽極材保持部３０は、一対の陽極材挟込部３０ｂ，３０ｂ間に陽極材Ａの被収容領域を挟み込み可能に構成される。具体的には、一対の陽極材挟込部３０ｂ，３０ｂの各先端部が陽極材Ａの被収容領域に当接することにより、一対の陽極材挟込部３０ｂ，３０ｂの先端部同士の間に陽極材Ａの被収容領域が挟み込まれる。また、一対の陽極材挟込部３０ｂ，３０ｂは、陽極材Ａの被収容領域を挟み込むことで、環状の収容部２の略中央部に陽極材Ａの被収容領域を保持するように構成される。
【００５０】
一対の陽極材挟込部３０ｂ，３０ｂの基端部は、収容部２と一体的に連結される。本実施形態では、一対の陽極材挟込部３０ｂ，３０ｂと収容部２との連結位置は、収容部２における収容口２ｂが形成された位置と収容部２の中央部とを通る直線に対して直交する直線が収容部２と交差する位置に設けられる。
【００５１】
斯かる構成によれば、陽極材保持部３０の構成が第一実施形態よりも単純なものとなるため、陽極材保持具１０を容易に作製することができる。
【００５２】
＜第三実施形態＞
次に、本発明の第三実施形態について、図５（ｂ）を参照しつつ説明する。第三実施形態に係る陽極材保持具１１は、第二実施形態に係る陽極材保持具１０と比較すると、主に収容部２０および陽極材保持部３１の構成が異なるものである。従って、以下では、第二実施形態と異なる点を中心に説明し、同一の構成に対しては同一の符号を付すこととして重複した説明を行わないこととする。
【００５３】
収容部２０は、一対の収容部端部を備えない点で第一および第二実施形態の収容部２と異なる。つまり、収容部２は、切れ目のない環状となるように形成される。一方、陽極材保持部３１は、第二実施形態における陽極材挟込部３０ｂを複数対備える。具体的には、陽極材保持部３１は、陽極材挟込部３０ｂを二対備え、各対の陽極材挟込部３０ｂ，３０ｂの突出方向が交差（より詳しくは、直交）するように構成される。そして、陽極材挟込部３０ｂの各対は、それぞれが陽極材Ａの被収容領域を挟み込むように構成される。つまり、陽極材保持部３１は、陽極材Ａの被収容領域に四方向から陽極材挟込部３０ｂが当接するように構成される。
【００５４】
斯かる構成によれば、保持部突出部３０ａが陽極材Ａの被収容領域に四方向から当接して被収容領域を挟み込むことで、陽極材Ａの被収容領域を収容部２１から離間した状態により確実に保持することができる。
【００５５】
なお、本発明に係る保持具は、上記実施形態に限定されるものではなく、本発明の要旨を逸脱しない範囲で種々の変更が可能である。また、上記した複数の実施形態の構成や方法等を任意に採用して組み合わせてもよく（１つの実施形態に係る構成や方法等を他の実施形態に係る構成や方法等に適用してもよく）、さらに、下記する各種の変更例に係る構成や方法等を任意に選択して、上記した実施形態に係る構成や方法等に採用してもよいことは勿論である。
【００５６】
例えば、上記実施形態では、陽極材保持具１，１０，１１は、陽極材保持部３，３０，３１を備えるが、これに限定されるものではなく、陽極材保持部を備えない構成を採用することもできる。具体的には、図６（ａ），（ｂ）に示すように、収容部２，２０のみによって陽極材保持具１２，１３が構成されてもよい。斯かる場合、陽極材Ａの被収容領域が収容部２，２０に内側から当接することで、被収容領域が収容部２，２０に支持され、被収容領域の少なくとも一部が収容部２，２０から離間した状態に保持されるように構成されてもよい。
【００５７】
また、上記実施形態では、収容部２，２０が環状に形成されているが、これに限定されるものではなく、筒状に形成されてもよい。具体的には、陽極材に対して間隔を空けて複数取り付け可能な程度の長さに形成された筒状であってもよい。
【００５８】
また、上記実施形態では、収容部が環状または筒状に形成されているが、これに限定されるものではなく、例えば、図６（ｃ）に示すように、凹状に形成に形成された収容部２１を備える陽極材保持具１４であってもよい。この場合、収容部２１の開放方向に位置する一対の収容部端部２１ａ，２１ａから延出するように、一対の陽極材挟込部３０ｂ，３０ｂが形成される。
【００５９】
また、第一実施形態では、一対の陽極材挟込部３ｂ，３ｂが保持部突出部３ａに連結されているが、これに限定されるものではなく、例えば、図６（ｄ）に示すように、保持部突出部３ａを備えず、一対の陽極材挟込部３ｂ，３ｂのみで陽極材保持部３２が構成された陽極材保持具１５であってもよい。具体的には、一対の陽極材挟込部３ｂ，３ｂの各他端部が収容部２に連結されるように構成されてもよい。なお、一対の陽極材挟込部３ｂ，３ｂの各他端部は、収容部２に連結されなくてもよい。
【００６０】
また、第一実施形態では、一対の陽極材挟込部３ｂ，３ｂが一対の収容部端部２ａ，２ａに連結されているが、これに限定されるものではなく、一対の陽極材挟込部３ｂ，３ｂが一対の収容部端部２ａ，２ａに連結されない構成であってもよい。
【００６１】
また、第一実施形態では、陽極材保持部３が一対の陽極材挟込部３ｂ，３ｂを備えているが、これに限定されるものではなく、例えば、図７（ａ）に示すように、一対の陽極材挟込部３ｂ，３ｂを備えず、保持部突出部３ａのみで陽極材保持部３３が構成された陽極材保持具１６であってもよい。斯かる構成の場合、収容部２に収容された陽極材Ａは、保持部突出部３ａ上に載置されることで、収容部２から離間した状態に保持される。
【００６２】
また、上記実施形態では、収容部２，２０，２１の内側に、一つの陽極材Ａが収容されているが、これに限定されるものではなく、複数の陽極材Ａを収容可能に構成された陽極材保持具１７であってもよい。例えば、図７（ｂ）に示すように、環状に形成された収容部２２の内部空間Ｒ１を二つに分割する分割壁３４ａと、該分割壁３４ａで分割された内部空間Ｒ１のそれぞれに収容部２２の内周面から突出する保持部突出部３４ｂ，３４ｂとから陽極材保持部３４が構成されてもよい。また、分割壁３４ａは、分割された内部空間Ｒ１のそれぞれに膨出するように形成される膨出部３４ｃ，３４ｃを備え、該膨出部３４ｃの形状に沿って（具体的には、湾曲した状態で）陽極材Ａが収容部２２内に収容されるように構成されてもよい。斯かる構成を備える陽極材保持具１７は、分割壁３４ａ（具体的には、各膨出部３４ｃ，３４ｃ）と各保持部突出部３４ｂ，３４ｂとの間に二つの陽極材Ａ，Ａが挟み込まれることで、二つの陽極材Ａ，Ａが収容部２２から離間した状態に保持されるように構成される。
【００６３】
また、上記実施形態では、各陽極材保持具が収容部を一つ備えているが、これに限定されるものではなく、複数の収容部を備える構成であってもよい。例えば、図７（ｃ）に示すように、第一実施形態の陽極材保持具１が連結部１０１によって複数（２つ）連結されて一つの陽極材保持具１００を構成してもよい。つまり、陽極材保持具１００が収容部２を複数（２つ）備えるように構成してもよい。
【符号の説明】
【００６４】
１，１０，１１，１２，１３，１４，１５，１６，１７，１００…陽極材保持具、２，２０，２１…収容部、２ａ，２１ａ…収容部端部、２ｂ…収容口、３，３０，３１，３２，３３…陽極材保持部、３ａ，３０ａ…保持部突出部、３ｂ，３０ｂ…陽極材挟込部、３ｃ…挟込部突出部、３ｄ…保持部凹部、Ａ…陽極材、Ａ１…陽極体、Ｂ…構造物、Ｂ１…収容孔、Ｃ…埋込材、Ｒ１…内部空間
【図１】
2014167143.tif 000003
【図２】
2014167143.tif 000004
【図３】
2014167143.tif 000005
【図４】
2014167143.tif 000006
【図５】
2014167143.tif 000007
【図６】
2014167143.tif 000008
【図７】
2014167143.tif 000009